(57)【要約】【課題】釣り用リールのハンドル把手において、安価な構成で異なる大きさのハンドル把手を作成できるようにする。【解決手段】筒状部９０は、把手軸１８の外周側に回転自在に装着された筒状の第１筒部９０ａと、第１筒部９０ａの先端部に形成された被係合部９０ｂとを有している。把手部９１は、筒状の把手本体９１ａと、把手本体９１ａの内周部に貫通して形成され第１筒部９０ａ及び第２筒部９２ｂが中間位置で係合部９２ａが被係合部９０ｂに係合するように装着される貫通孔９１ｂとを有している。キャップ部材９２は、筒状部９０の被係合部９０ｂに係合する係合部９２ａと、係合部９２ａが基端部に形成された筒状の第２筒部９２ｂとを有している。【選択図】図８
2010193855.tif 000002
【特許請求の範囲】
【請求項１】
釣り用リールのハンドルアームの先端に固定された把手軸に回転自在に装着されるハンドル把手であって、
前記把手軸の外周側に回転自在に装着された筒状の第１筒部と、前記第１筒部の前記ハンドルアームと逆側の先端部に形成された被係合部とを有する筒状部と、
前記被係合部に係合可能な係合部と、前記係合部が基端部に形成された筒状の第２筒部と、前記第２筒部の先端部に形成され前記第２筒部の外径より大径に形成された頭部とを有するキャップ部材と、
筒状の把手本体と、前記把手本体の内周部に軸方向に貫通して形成され前記第１筒部及び前記第２筒部が中間位置で係合するように装着される貫通孔と、前記把手本体の先端部に形成され前記貫通孔の先端側開口を閉塞し前記頭部が接触可能な接触部とを有する把手部と、
を備えた釣り用リールのハンドル把手。
【請求項２】
前記係合部は、前記被係合部に印籠結合によって係合する、請求項１に記載の釣り用リールのハンドル把手。
【請求項３】
前記係合部は、前記被係合部の内周部に係合する、請求項１又は２に記載の釣り用リールのハンドル把手。
【請求項４】
前記係合部は、前記被係合部の外周部に係合する、請求項１又は２に記載の釣り用リールのハンドル把手。
【請求項５】
前記係合部は、前記被係合部にねじ係合する、請求項１から４のいずれか１項に記載の釣り用リールのハンドル把手。
【請求項６】
前記第２筒部は、前記貫通孔にねじ係合する、請求項１から４のいずれか１項に記載の釣り用リールのハンドル把手。
【請求項７】
前記第２筒部の外径は、前記第１筒部の外径と同径である、請求項１から６のいずれか１項に記載の釣り用リールのハンドル把手。
【請求項８】
前記筒状部は、金属製である、請求項１から７のいずれか１項に記載の釣り用リールのハンドル把手。
【請求項９】
前記キャップ部材は、金属製である、請求項１から８のいずれか１項に記載の釣り用リールのハンドル把手。
【請求項１０】
前記第２筒部及び前記係合部の軸方長さは、前記第１筒部及び前記被係合部の軸方向長さの２５％以上１００％以下の範囲となるように形成されている、請求項１から９のいずれか１項に記載の釣り用リールのハンドル把手。
【請求項１１】
前記釣り用リールは、スピニングリールである、請求項１から１０のいずれか１項に記載の釣り用リールのハンドル把手。
【請求項１２】
前記釣り用リールは、両軸受リールである、請求項１から１０のいずれか１項に記載の釣り用リールのハンドル把手。
【請求項１３】
前記釣り用リールは、片軸受リールである、請求項１から１０のいずれか１項に記載の釣り用リールのハンドル把手。
【発明の詳細な説明】
【技術分野】
【０００１】
本発明は、釣り用リールのハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に回転不能に固定された把手軸と、把手軸に回転自在に装着されたハンドル把手とを有している。このようなハンドル把手は、把手軸に回転自在に支持された金属製の筒状部と、筒状部の外周を覆うように設けられた鼓状の把手部とを有している。筒状部は、把手軸に対して回転自在かつ軸方向移動不能に装着されており、把手軸の先端部にねじ止めされている。また、把手部の先端部は、把手軸の先端部に装着されたねじ部材が露出するように開口しており、この開口部を閉塞するためのキャップ部材がさらに設けられている。このようなキャップ部材は、筒状部の内周部に形成された雌ねじに螺合する雄ねじが形成されており、キャップ部材自身を回転させることによって筒状部に固定される。（たとえば、特許文献１参照）。
【先行技術文献】
【特許文献】
【０００３】
【特許文献１】特開２００１−２９９１６５号公報
【発明の概要】
【発明が解決しようとする課題】
【０００４】
前記従来の釣り用リールのハンドル把手では、ハンドル把手の大きさに応じて、筒状部や把手部の大きさを変更している。たとえば大きなハンドル把手を作成する場合には、キャップ部材を筒状部にねじ止め固定するために、筒状部を軸方向長さが長くなるように形成している。このように、ハンドル把手の大きさ毎に専用の筒状部を形成すると、筒状部の長さに合わせて把手軸の長さを変更する必要が生じる。特に、把手軸を長く形成する場合には、把手軸に製造誤差が生じやすくなることからハンドルにがたが生じたり、把手軸が曲がり変形を起こしてハンドル把手の回転がスムーズでなくなるおそれが生じる。また、把手軸がステンレス合金等で形成される場合には、把手軸を長く形成することによって、ハンドル把手全体の重量が増加し、ハンドル把手のスムーズな回転を阻害するおそれが生じる。さらに、複数の筒状部を作成するために複数の金型を形成しなくてはならないので、製造コストが増大するおそれが生じる。
【０００５】
本発明の課題は、釣り用リールのハンドル把手において、安定した品質を維持しながら、安価な構成で異なる大きさのハンドル把手を作成できるようにすることにある。
【課題を解決するための手段】
【０００６】
発明１に係る釣り用リールのハンドル把手は、釣り用リールのハンドルアームの先端に固定された把手軸に回転自在に装着されるハンドル把手であって、筒状部と、キャップ部材と、把手部と、を備えている。筒状部は、把手軸の外周側に回転自在に装着された筒状の第１筒部と、第１筒部のハンドルアームと逆側の先端部に形成された被係合部とを有する。キャップ部材は、被係合部に係合可能な係合部と、係合部が基端部に形成された筒状の第２筒部と、第２筒部の先端部に形成され第２筒部の外径より大径に形成された頭部とを有する。把手部は、筒状の把手本体と、把手本体の内周部に軸方向に貫通して形成され第１筒部及び第２筒部が中間位置で係合するように装着される貫通孔と、把手本体の先端部に形成され貫通孔の先端側開口を閉塞し頭部が接触可能な接触部とを有する。
【０００７】
この釣り用リールのハンドル把手では、キャップ部材の第２筒部の基端部に形成された係合部が、筒状部の被係合部に係合することによって、キャップ部材が筒状部に固定されている。ここでは、キャップ部材には、係合部が筒状部の被係合部に係合するように延びる第２筒部が設けられているので、大きなハンドル把手を作成するときには、筒状部の大きさを変更することなく、キャップ部材の係合部を筒状部の被係合部に係合させることが可能になる。したがって、ハンドル把手の大きさに関わらず、筒状部の部品を共通化することができるので、複数の金型を形成する必要がなくなり、安価な構成で異なる大きさのハンドル把手を作成できる。さらに、ここでは、従来のように把手軸の長さを変更する必要がなくなるなるので、製造誤差が少なく曲がり変形を起こしにくい把手軸を共通部品として使用することができ、安定した品質のハンドル把手をコストの増大を招くことなく作成できる。したがって、以上の構成によって、安定した品質を維持しながら、安価な構成で異なる大きさのハンドル把手を作成できる。
【０００８】
発明２に係るハンドル把手は、発明１のハンドル把手において、係合部は、被係合部に印籠結合によって係合する。この場合、キャップ部材を筒状部材に装着したときのがたつきを防止できる。
【０００９】
発明３に係るハンドル把手は、発明１又は２のハンドル把手において、係合部は、被係合部の内周部に係合する。この場合、筒状部の被係合部の外周部が把手部の把手本体に接触するように装着されるので、たとえば金属等の高強度な材質の筒状部である場合には、被係合部によって係合部分を保護できる。
【００１０】
発明４に係るハンドル把手は、発明１又は２のハンドル把手において、係合部は、被係合部の外周部に係合する。この場合、筒状部の被係合部の外周部に係合部分が形成されるので、たとえば筒状部の被係合部の外周部に雄ねじを形成する場合には、被係合部の加工が容易になる。
【００１１】
発明５に係るハンドル把手は、発明１から４のいずれかのハンドル把手において、係合部は、被係合部にねじ係合する。この場合、係合部の外周部又は内周部に形成された雄ねじ部又は雌ねじ部を、被係合部の内周部又は外周部に形成された雌ねじ部又は雄ねじ部に螺合させることによって、キャップ部材の筒状部材に対する着脱が容易になる。
【００１２】
発明６に係るハンドル把手は、発明１から４のいずれかのハンドル把手において、第２筒部は、貫通孔にねじ係合する。この場合、第２筒部の外周部に形成された雄ねじ部を、把手部の貫通孔の内周部に形成された雌ねじ部に螺合させ、かつ係合部を被係合部に係合させることによって、把手部の把手本体が高強度な部材でない場合においても、キャップ部材の把手部に対する固定が強固になる。
【００１３】
発明７に係るハンドル把手は、発明１から６のいずれかのハンドル把手において、第２筒部の外径は、第１筒部の外径と同径である。この場合、把手部の貫通孔の内径が第１筒部及び第２筒部の外径と同一となるような同径の貫通孔を形成すればよくなるので、貫通孔の形成が容易になる。
【００１４】
発明８に係るハンドル把手は、発明１から７のいずれかのハンドル把手において、筒状部は、金属製である。この場合、筒状部の強度を高く維持できる。
【００１５】
発明９に係るハンドル把手は、発明１から８のいずれかのハンドル把手において、キャップ部材は、金属製である。この場合、たとえば金属を切削加工することにより、金型が不要になるので、キャップ部材の形成が容易になる。
【００１６】
発明１０に係るハンドル把手は、発明１から９のいずれかのハンドル把手において、第２筒部及び係合部の軸方長さは、第１筒部及び被係合部の軸方向長さの２５％以上１００％以下の範囲となるように形成されている。この場合、第２筒部及び係合部の軸方長さは、第１筒部及び被係合部の軸方向長さの２５％以上１００％以下の範囲となるように、従来の構成に比して長くなるように形成されているので、さらに大きなハンドル把手においても筒状部を共通化できる。
【００１７】
発明１１に係るハンドル把手は、発明１から１０のいずれかのハンドル把手において、釣り用リールは、スピニングリールである。この場合、スピニングリールのハンドル把手において、安価な構成で異なる大きさのハンドル把手を作成できる。
【００１８】
発明１２に係るハンドル把手は、発明１から１０のいずれかのハンドル把手において、釣り用リールは、両軸受リールである。この場合、両軸受リールのハンドル把手において、安価な構成で異なる大きさのハンドル把手を作成できる。
【００１９】
発明１３に係るハンドル把手は、発明１から１０のいずれかのハンドル把手において、釣り用リールは、片軸受リールである。この場合、片軸受リールのハンドル把手において、安価な構成で異なる大きさのハンドル把手を作成できる。
【発明の効果】
【００２０】
本発明によれば、釣り用リールのハンドル把手において、キャップ部材の第２筒部の基端部に形成された係合部が、筒状部の被係合部に係合することによって、キャップ部材が筒状部に固定されている。ここでは、キャップ部材には、係合部が筒状部の被係合部に係合するように延びる第２筒部が設けられているので、安定した品質を維持しながら、安価な構成で異なる大きさのハンドル把手を作成できる。
【図面の簡単な説明】
【００２１】
【図１】本発明の一実施形態を採用したスピニングリールの側面断面図。
【図２】図１のＩＩ−ＩＩ断面図。
【図３】図１のＩＩＩ−ＩＩＩ断面図。
【図４】ハンドル軸周辺の断面図。
【図５】ハンドル把手の拡大側面図。
【図６】前記ハンドル把手の正面図。
【図７】前記ハンドル把手の背面図。
【図８】前記ハンドル把手の側面断面図。
【図９】筒状部及びキャップ部材の係合部分の拡大側面断面図。
【図１０】他の実施形態の図９に相当する図。
【図１１】他の実施形態の図８に相当する図。
【図１２】本発明の他の実施形態を採用した両軸受リールの斜視図。
【図１３】本発明の他の実施形態を採用した片軸受リールの断面図。
【発明を実施するための形態】
【００２２】
本発明の一実施形態を採用したスピニングリールは、図１に示すように、ハンドル組立体１と、ハンドル組立体１を回転自在に支持するリール本体２と、ロータ３と、スプール４とを備えている。ハンドル組立体１は、リール本体２の両側部の一方側に交換可能に装着されており、たとえば図１ではリール本体２の右側部に装着され、図２及び図４ではリール本体２の左側部に装着されている。ロータ３は、リール本体２の前部に回転自在に支持されている。スプール４は、釣り糸を外周面に巻き取るものであり、ロータ３の前部に前後移動自在に配置されている。
【００２３】
ハンドル組立体１は、図２に示すように、後述するハンドル軸１０の先端に装着されるハンドルアーム８と、ハンドルアーム８の先端に装着されたハンドル把手９とを備えている。ハンドル把手９は、ハンドルアーム８の先端にかしめ固定された把手軸１８に回転自在に装着されている。
【００２４】
ハンドル把手９は、図５から図８に拡大して示すように、把手軸１８の外周側に装着される筒状部９０と、筒状部９０の外周に固定される略球状の把手部９１と、把手部９１の後部開口に装着され筒状部９０にねじ止め固定されるキャップ部材９２と、筒状部９０の外周に固定される環状の環状部９３とを有している。
【００２５】
筒状部９０は、図５及び図６に示すように、両端が開口する筒状の部材である。筒状部９０は、合成樹脂を射出成形することによって形成されている。筒状部９０の内周部は、図８に示すように、把手軸１８の外周部に軸受２０ａ、２０ｂを介して回転自在に支持されている。把手軸１８の基端部は、図８に示すように、ハンドルアーム８の先端にかしめ固定され、把手軸１８の先端部は、ねじ部材２０ｃにより筒状部９０及び把手部９１を抜け止めしている。なお、筒状部９０の基端部は、他の部分より大径となるようになっている。
【００２６】
筒状部９０は、図８及び図９に示すように、把手軸１８の外周側に回転自在に装着された筒状の第１筒部９０ａと、第１筒部９０ａのハンドルアーム８と逆側（図８右側）の先端部に形成された被係合部９０ｂとを有している。第１筒部９０ａの内周部は、把手軸１８の外周部に軸受２０ａ、２０ｂを介して回転自在に支持されている。被係合部９０ｂは、図９に拡大して示すように、外径が第１筒部９０ａと同径になるように形成され、内径がハンドルアーム８と逆側（図９右側）に向かって大径となる段付きの凹部となるように形成されており、その端部内周には雌ねじ部が形成されている。被係合部９０ｂの雌ねじ部は、後述するキャップ部材９２の係合部９２ａの外周部に形成された雄ねじ部が螺合可能であり、これによって、キャップ部材９２の係合部９２ａが筒状部９０の被係合部９０ｂに印籠結合によって係合している。
【００２７】
把手部９１は、図５に示すように、ＥＶＡ樹脂（エチレン酢酸ビニル共重合樹脂）等の合成樹脂を成型加工することによって形成され、把手軸１８の軸芯に対して軸対称となる略球状に形成されている。把手部９１は、図８に示すように、筒状の把手本体９１ａと、把手本体９１ａの内周部に軸方向に貫通して形成され第１筒部９０ａ及び後述するキャップ部材９２の第２筒部９２ｂが中間位置で係合部９２ａが被係合部９０ｂに係合するように装着される貫通孔９１ｂと、把手本体９１ａの先端部に形成され貫通孔９１ｂの先端側開口を閉塞し後述するキャップ部材９２の頭部９２ｃが接触可能な接触部９１ｃとを有している。把手部９１は、図５及び図７に示すように、貫通孔９１ｂによって後端部側の外形が円形となるように開口しており、この開口を閉塞する金属製のキャップ部材９２が装着されている。
【００２８】
キャップ部材９２は、図７及び図８に示すように、アルミニウム合金等の金属を切削加工することにより形成されたボルト状部材である。キャップ部材９２は、図８に示すように、筒状部９０の被係合部９０ｂに係合する係合部９２ａと、係合部９２ａがハンドルアーム８側（図８左側）の基端部に形成された筒状の第２筒部９２ｂと、第２筒部９２ｂのハンドルアーム８と逆側（図８右側）の先端部に形成され第２筒部９２ｂの外径より大径に形成された頭部９２ｃとを有している。また、キャップ部材９２は、頭部９２ｃの後端部の中央部に矩形となるように形成され硬貨等で回転操作可能な操作凹部９２ｄを有している。ここでは、硬貨等で操作凹部９２ｄを回転操作することにより、係合部９２ａの外周部に形成された雄ねじ部を、被係合部９０ｂの雌ねじ部に螺合させて、キャップ部材９２を筒状部９０に着脱可能に固定している。なお、キャップ部材９２の外形は、把手部９１の外形と滑らかに連続するように連結されており、外形形状は把手部９１の外形形状と同一である。
【００２９】
係合部９２ａは、図９に拡大して示すように、内径が第２筒部９２ｂと同径になるように形成され、外径がハンドルアーム８側（図９左側）に向かって小径となる段付きの凹部となるように形成されており、その端部外周には雄ねじ部が形成されている。係合部９２ａの雄ねじ部は、被係合部９０ｂの雌ねじ部に螺合可能であり、これによって、キャップ部材９２の係合部９２ａが筒状部９０の被係合部９０ｂに印籠結合によって係合している。
【００３０】
第２筒部９２ｂは、図８に示すように、係合部９２ａの雄ねじ部は、被係合部９０ｂの雌ねじ部に螺合するように延びて形成されている。第２筒部９２ｂの外径は、第１筒部９０ａの外径と同径となるように形成されており、把手部９１の貫通孔９１ｂの内径が第１筒部９０ａ及び第２筒部９２ｂの外径と同一となるように形成されている。また、図８に示すように、第２筒部９２ｂ及び係合部９２ａの軸方長さ（Ｂ）は、第１筒部９０ａ及び被係合部９０ｂの軸方向長さ（Ａ）の２５％以上１００％以下の範囲となるように、具体的には２５％となるように、従来の構成に比して第２筒部９２ｂの軸方向長さが長くなるように形成されている。
【００３１】
環状部９３は、図８に示すように、筒状部９０の基端部外周面に装着固定されたアルミニウム合金製の環状部材である。環状部９３は、内周面が筒状部９０の基端部の外周面に相対回転不能に接着固定されている。また、環状部９３は、環状部９３の先端面と把手部９１の基端面とが接触するように装着され、環状部９３の先端部の外周面と把手部９１の基端部の外周面とが滑らかに連結されるように形成されている。
【００３２】
リール本体２は、側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００３３】
リールボディ２ａは、図２及び図３に示すように、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００３４】
リールボディ２ａの図２右側面には、図２に示すように、筒状のボス部１７ａが形成されている。ボス部１７ａは、後述するハンドル軸１０の図２右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図２左端を支持する軸受１６ｂを収納するために蓋体２ｄの内方に突出して形成されている。ハンドル組立体１が装着された側と逆側のボス部（図２ではボス部１７ａ）は、軸カバー１９ａにより閉塞されている。ハンドル組立体１が装着された側のボス部（図２ではボス部１７ｂ）は、孔あきカバー１９ｂにより水の侵入が防止されている。軸カバー１９ａ及び孔あきカバー１９ｂは、円形の部材であり、それぞれボス部にねじ込み固定されている。
【００３５】
リールボディ２ａのボス部１７ａの前方には、図３に示すように、後述する回転伝達機構１４（図３参照）を収納するための膨出部２ｅが形成されている。膨出部２ｅは、図２下方側に向かって徐々に突出するように斜めに形成されており、膨出部２ｅの下端には、回転伝達機構１４を構成する第１軸受部２８が着脱自在に装着されている。膨出部２ｅの基端側には、リールボディ２ａの内方に突出する第２軸受部２９が形成されている。
【００３６】
ロータ駆動機構５は、図１及び図２に示すように、ハンドル組立体１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ、１６ｂを介してリールボディ２ａ及び蓋体２ｄに回転自在に支持されている。この貫通孔にハンドル組立体１が回転不能にねじ込み固定されている。
【００３７】
オシレーティング機構６は、スプール４の中心部に固定されたスプール軸１５をロータ３に連動して前後方向に移動させてスプール４を同方向に移動させるための機構である。オシレーティング機構６には、回転伝達機構１４を介してハンドル組立体１の回転が伝達される。
【００３８】
オシレーティング機構６は、図１、図２及び図４に示すように、スプール軸１５の下方に配置された螺軸２１と、螺軸２１に沿って前後方向に移動するスライダ２２と、スライダ２２を案内する２本のガイド軸２４ａ、２４ｂとを有している。螺軸２１は、スプール軸１５と平行に配置されており、リールボディ２ａに回転自在に支持されている。また、螺軸２１の外周部には螺旋状の交差する溝２１ａが形成されている。
【００３９】
スライダ２２は、スライダ本体２５と、スライダ本体２５内に収納された係合部材２６とを有している。
【００４０】
スライダ本体２５は、たとえばアルミダイキャスト製であり、ガイド軸２４ａ、２４ｂが貫通するガイド孔２５ａ、２５ｂと、係合部材２６が装着される係合孔２５ｃと、スプール軸１５が回転不能に固定される装着孔２５ｄとを有している。スライダ本体２５は、ガイド軸２４ａ、２４ｂによりスプール軸１５と平行に案内される。
【００４１】
スプール軸１５の後端部は、略半円断面の装着孔２５ｄに回転不能に装着されており、たとえば図示しないビスによりスライダ本体２５に固定されている。これにより、スライダ２２の前後移動がスプール軸１５及びスプール４の前後移動に伝達される。また、スプール４がドラグ作動したときにスプール軸１５の回転を防止している。
【００４２】
係合部材２６は、係合孔２５ｃ内に回動自在に装着されており、係合部材２６の先端は、螺軸２１の溝２１ａに噛み合っている。この噛み合いにより、螺軸２１が回転すると、スライダ２２がスプール軸方向に前後に往復移動する。
【００４３】
回転伝達機構１４は、図３に示すように、膨出部２ｅの内部に収納されており、ピニオンギア１２と、連結軸３６と、連結軸３６の下端を回転自在に支持する第１軸受部２８と、連結軸３６の上端を回転自在に支持する第２軸受部２９と、第１ギア３７〜第３ギア３９とを有している。ピニオンギア１２は、ロータ駆動機構５を構成するとともに回転伝達機構１４も構成している。ピニオンギア１２は、後部にねじ歯車からなるギア部１２ｂを有しており、このギア部１２ｂがフェースギア１１に噛み合っている。
【００４４】
連結軸３６は、螺軸２１に連結可能にピニオンギア１２と食い違う軸に沿って斜めに配置された軸であり、膨出部２ｅの内部に配置されている。具体的には、連結軸３６は、ピニオンギア１２と螺軸２１とにそれぞれ軸交差角が９０度となるようにハンドル軸１０と交差する面に対して傾いて、つまりリール本体２に対して水平（左右）方向及び垂直（上下）方向に対して斜めに傾いて配置されている。このように連結軸３６を斜めに配置することで、連結軸３６を設けても、水平方向及び垂直方向のサイズをバランスよく維持した状態で、リール本体２をコンパクト化することができる。
【００４５】
第１軸受部２８は、前述したようにリールボディ２ａに形成された膨出部２ｅの下面に着脱自在に装着されており、ねじ２３により固定されている。第２軸受部２９は、前述したように膨出部２ｅの基端部からリールボディ２ａの内方に向かって突出して形成されている。第１軸受部２８及び第２軸受部２９は、連結軸３６を回転自在に支持するための軸受２８ａ、２９ａをそれぞれ有している。
【００４６】
第１ギア３７は、ピニオンギア１２のギア部１２ｂにフェースギア１１の噛み合い位置と逆側の面で噛み合うねじ歯車であり、連結軸３６に回転不能に固定されている。第２ギア３８は、ねじ歯車であり、連結軸３６に第１ギア３７と間隔を隔てて設けられている。この第２ギア３８は、連結軸３６と一体形成されている。第３ギア３９は、第２ギア３８に噛み合うねじ歯車であり、螺軸２１の前端に回転不能に固定されている。
【００４７】
第１軸受部２８は、リールボディ２ａに着脱自在に装着された蓋部材２８ｂと、蓋部材２８ｂに装着された軸受２８ａとを有している。蓋部材２８ｂは、ロータ３の円筒部３０の後端部で覆われるようにリールボディ２ａの前部に形成されたフランジ部２ｇより後方でリールボディ２ａに着脱自在に装着されている。蓋部材２８ｂの装着部分において、リールボディ２ａの底部には、第２ギア３８の最外径より大径の内周面を有する貫通孔２ｆが形成されている。この貫通孔２ｆに蓋部材２８ｂがはめ込まれる。蓋部材２８ｂは、ビス２３によりリールボディ２ａに固定されている。
【００４８】
ロータ３は、図１に示すように、円筒部３０と、円筒部３０の側方に互いに対向してそれぞれ設けられた第１ロータアーム３１及び第２ロータアーム３２とを有している。円筒部３０と第１ロータアーム３１及び第２ロータアーム３２とは一体成形されている。
【００４９】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の先端のネジ部に螺合している。ナット３４の内周部には、ナット３４をスプール軸１５に対して回転自在に支持するための軸受３５が配置されている。
【００５０】
第１ロータアーム３１及び第２ロータアーム３２の先端には、ベールアーム４４が糸巻き取り姿勢と糸開放姿勢との間で揺動自在に装着されている。ベールアーム４４は、図１及び図３に示すように、第１ロータアーム３１及び第２ロータアーム３２の先端の内側にそれぞれ揺動自在に装着された第１ベール支持部材４０及び第２ベール支持部材４２と、第１ベール支持部材４０の先端に基端が固定された固定軸を含む固定軸カバー４７と、釣り糸をスプール４に案内するラインローラ４１と、固定軸カバー４７と第２ベール支持部材４２とを連結するベール４３とを有している。第１ベール支持部材４０は、図１に示すように、第１ロータアーム３１の先端外側に揺動自在に装着されている。第２ベール支持部材４２は、第２ロータアーム３２の先端内側に揺動自在に装着されている。
【００５１】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａに固定され、内輪がピニオンギア１２に回転不能に装着されている。操作機構５２は、リールボディ２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００５２】
スプール４は、ロータ３の第１ロータアーム３１と第２ロータアーム３２との間に配置されており、スプール軸１５の先端にドラグ機構６０を介して固定されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。また、スカート部４ｂ及び前フランジ部４ｃは、糸巻胴部４ａの両端から垂直に径方向外方に拡がっている。これにより、釣り糸がスプール４の糸巻胴部４ａに巻き付けられるとき、各糸巻段での釣り糸の巻数が略等しくなる。
【００５３】
次に、リールの操作及び動作について説明する。
【００５４】
このスピニングリールでは、キャスティング時には、ベールアーム４４を糸巻き取り姿勢から糸開放姿勢に倒す。これにより第１ベール支持部材４０及び第２ベール支持部材４２は、同方向に揺動する。
【００５５】
釣り糸巻き取り時には、ベールアーム４４を糸巻き取り姿勢に倒す。これは、ハンドル組立体１を糸巻き取り方向に回転させると図示しないカムとバネの働きにより自動的に行われる。ハンドル組立体１を糸巻き取り方向に回転させると、この回転力はハンドル軸１０及びフェースギア１１を介してピニオンギア１２に伝達される。このピニオンギア１２に伝達された回転力は、ピニオンギア１２前部１２ａを介してロータ３に伝達され、ロータ３が糸巻き取り方向に回転する。
【００５６】
このようにハンドル組立体１を回転させるとき、特に、ジギングを行う際には、ハンドル把手９全体を掌で強く握持する。
【００５７】
このようなハンドル把手９では、キャップ部材９２の第２筒部９２ｂの基端部に形成された係合部９２ａが、筒状部９０の被係合部９０ｂに係合することによって、キャップ部材９２が筒状部９０に固定されている。ここでは、キャップ部材９２には、係合部が筒状部９０の被係合部９０ｂに係合するように延びる第２筒部９２ｂが設けられているので、大きなハンドル把手９を作成するときには、筒状部９０の大きさを変更することなく、キャップ部材９２の係合部９２ｂを筒状部９０の被係合部９０ｂに係合させることが可能になる。したがって、ハンドル把手９の大きさに関わらず、筒状部９０の部品を共通化することができるので、複数の金型を形成する必要がなくなるために、安価な構成で異なる大きさのハンドル把手９を作成することができる。さらに、ここでは、従来のように把手軸１８の長さを変更する必要がなくなるなるので、製造誤差が少なく曲がり変形を起こしにくい把手軸１８を共通部品として使用することができ、安定した品質のハンドル把手９をコストの増大を招くことなく作成できる。したがって、以上の構成によって、安定した品質を維持しながら、安価な構成で異なる大きさのハンドル把手９を作成することができる。
【００５８】
〔他の実施形態〕
（ａ）  前記実施形態では、スピニングリールを例にあげて説明したが、図１２に示す両軸受リールや、図１３に示す片軸受リール等の他形式の釣り用リールのハンドル把手にも本発明を適用できる。また、ハンドルつまみは、シングルハンドルのものに限定されず、ダブルハンドルのものにも本発明を適用できる。
【００５９】
本発明の他の実施形態を採用した両軸受リールは、図１２に示すように、シングルハンドルタイプの丸型リールであり、リール本体１０１と、リール本体１０１の側方に配置されたスプール回転用のハンドル組立体１０２と、ハンドル組立体１０２のリール本体１０１側に配置されたスタードラグ１０３とを備えている。
【００６０】
リール本体１０１には、釣り糸を巻き取りあるいは繰り出すためのスプール１１５が回転自在に装着され、竿取付脚１０４を介して釣竿に取り付けられている。リール本体１０１は、所定の間隔をあけて配置された左右１対の第１側板１１０及び第２側板１１１と第１側板１１０及び第２側板１１１を連結する複数の連結部材１１２とを有するフレーム１０５と、フレーム１０５の両側方に装着された第１側カバー１１３及び第２側カバー１１４と、第２側カバー１１４に装着された機構装着板１１６とを有している。
【００６１】
ハンドル組立体１０２は、図示しないハンドル軸の先端に回転不能に装着されたハンドルアーム１０８と、ハンドルアーム１０８の先端にかしめ固定された把手軸１１８と、把手軸１１８に回転自在に装着されたハンドル把手１０９とを有している。
【００６２】
ハンドル把手１０９は、把手軸１１８の外周側に装着される筒状部１９０と、筒状部１９０の外周に固定される略球状の把手部１９１と、把手部１９１の後部開口に装着され筒状部１９０にねじ止め固定されるキャップ部材１９２と、筒状部１９０の外周に固定される環状の環状部１９３とを有している。筒状部１９０は、把手軸１１８の外周側に回転自在に装着された筒状の第１筒部１９０ａと、第１筒部１９０ａのハンドルアーム１０８と逆側の先端部に形成された被係合部１９０ｂとを有している。把手部１９１は、筒状の把手本体１９１ａと、把手本体１９１ａの内周部に軸方向に貫通して形成され第１筒部１９０ａ及びキャップ部材１９２の第２筒部１９２ｂが中間位置で係合部１９２ａが被係合部１９０ｂに係合するように装着される貫通孔１９１ｂと、把手本体１９１ａの先端部に形成され貫通孔１９１ｂの先端側開口を閉塞しキャップ部材１９２の頭部１９２ｃが接触可能な接触部１９１ｃとを有している。キャップ部材１９２は、筒状部１９０の被係合部１９０ｂに係合する係合部１９２ａと、係合部１９２ａがハンドルアーム１０８側の基端部に形成された筒状の第２筒部１９２ｂと、第２筒部１９２ｂのハンドルアーム１０８と逆側の先端部に形成され第２筒部１９２ｂの外径より大径に形成された頭部１９２ｃとを有している。なお、ハンドル把手１０９の他の構成は、前記実施形態の図番に１００を加えたものと同様であるので、詳細な説明は省略する。
【００６３】
ここでは、キャップ部材１９２の第２筒部１９２ｂの基端部に形成された係合部１９２ａが、筒状部１９０の被係合部１９０ｂに係合することによって、キャップ部材１９２が筒状部１９０に固定されている。ここでは、キャップ部材１９２には、係合部が筒状部１９０の被係合部１９０ｂに係合するように延びる第２筒部１９２ｂが設けられているので、安定した品質を維持しながら、安価な構成で異なる大きさのハンドル把手１０９を作成することができる。
【００６４】
本発明の他の実施形態を採用した片軸受リールは、図１３に示すように、リール本体２０１と、リール本体２０１に片持ち支持されたスプール軸２０２と、スプール軸２０２に対して相対回転自在に配置され外周に釣り糸が巻かれるスプール２０３とを備えている。スプール２０３は、筒状の糸巻胴部２１５と、糸巻胴部２１５の一端部に糸巻胴部２１５と一体で形成された円板状の内フランジ２１６と、糸巻胴部２１５の他端部にリール本体２０１の開放部を覆うように装着された外フランジ２１７とを有している。外フランジ２１７の外面で外周近くにはハンドル把手２０９が取り付けられている。
【００６５】
ハンドル把手２０９は、外フランジ２１７に立設された把手軸２１８に回転自在に装着されている。ハンドル把手２０９は、把手軸２１８の外周側に装着される筒状部２９０と、筒状部２９０の外周に固定される略棒状の把手部２９１と、把手部２９１の後部開口に装着され筒状部２９０にねじ止め固定されるキャップ部材２９２と、筒状部２９０の外周に固定される環状の環状部２９３とを有している。筒状部２９０は、把手軸２１８の外周側に回転自在に装着された筒状の第１筒部２９０ａと、第１筒部２９０ａの外フランジ２１７と逆側の先端部に形成された被係合部２９０ｂとを有している。把手部２９１は、把手軸２１８の軸芯に対して軸対称となる略棒状に形成されている。把手部２９１は、筒状の把手本体２９１ａと、把手本体２９１ａの内周部に軸方向に貫通して形成され第１筒部２９０ａ及びキャップ部材２９２の第２筒部２９２ｂが中間位置で係合部２９２ａが被係合部２９０ｂに係合するように装着される貫通孔２９１ｂと、把手本体２９１ａの先端部に形成され貫通孔２９１ｂの先端側開口を閉塞しキャップ部材２９２の頭部２９２ｃが接触可能な接触部２９１ｃとを有している。キャップ部材２９２は、筒状部２９０の被係合部２９０ｂに係合する係合部２９２ａと、係合部２９２ａが外フランジ２１７側の基端部に形成された筒状の第２筒部２９２ｂと、第２筒部２９２ｂの外フランジ２１７と逆側の先端部に形成され第２筒部２９２ｂの外径より大径に形成された頭部２９２ｃとを有している。なお、ハンドル把手２０９の他の構成は、前記実施形態の図番に２００を加えたものと同様であるので、詳細な説明は省略する。
【００６６】
ここでは、キャップ部材２９２の第２筒部２９２ｂの基端部に形成された係合部２９２ａが、筒状部２９０の被係合部２９０ｂに係合することによって、キャップ部材２９２が筒状部２９０に固定されている。ここでは、キャップ部材２９２には、係合部が筒状部２９０の被係合部２９０ｂに係合するように延びる第２筒部２９２ｂが設けられているので、安定した品質を維持しながら、安価な構成で異なる大きさのハンドル把手２０９を作成することができる。
【００６７】
（ｂ）  前記実施形態では、係合部９２ａの外周部に形成された雄ねじ部を、被係合部９０ｂの内周部に形成された雌ねじ部に螺合させていたが、図１０に示すように、係合部９２ａの内周部に形成された雌ねじ部を、被係合部９０ｂの外周部に形成された雄ねじ部に螺合させ、係合部９２ａが被係合部９０ｂの外周部に係合する構成にしてもよい。
【００６８】
また、図１１に示すように、係合部９２ａや被係合部９０ｂに雄ねじ部や雌ねじ部を形成しないで、第２筒部９２ｂの外周部に形成された雄ねじ部９２ｅを、把手部９１の貫通孔９１ｂの内周部に形成された雌ねじ部９１ｄに螺合させる構成にしてもよい。
【００６９】
（ｃ）  前記実施形態では、筒状部９０は、合成樹脂を成型加工することにより形成されていたが、材質はこれに限定されるものではなく、ステンレス合金やアルミニウム合金や真鍮等の金属を切削加工することにより筒状部９０を形成してもよい。この場合、筒状部９０を精度よく製造できて、把手軸１８とのがたが生じにくくなる。
【００７０】
また、前記実施形態では、把手部９１は、ＥＶＡ樹脂により形成されていたが、炭素繊維強化樹脂（ＣＦＲＰ）等の合成樹脂や、カーボンや、アルミニウム合金等の金属により把手部９１を形成してもよい。また、前記実施形態では、キャップ部材９２は、アルミニウム合金により形成されていたが、合成樹脂の切削加工や成型加工によってキャップ部材９２を形成してもよい。
【符号の説明】
【００７１】
１  ハンドル組立体
２  リール本体
７  ハンドル軸部
８  ハンドルアーム
９  ハンドル把手
１０  ハンドル軸
１８  把手軸
９０  筒状部
９０  筒状部
９０ａ  第１筒部
９０ｂ  被係合部
９１  把手部
９１ａ  把手本体
９１ｂ  貫通孔
９１ｃ  接触部
９１ｄ  雌ねじ部
９２  キャップ部材
９２ａ  係合部
９２ｂ  第２筒部
９２ｃ  頭部
９２ｄ  操作凹部
９２ｅ  雄ねじ部
【図１】
2010193855.tif 000003
【図２】
2010193855.tif 000004
【図３】
2010193855.tif 000005
【図４】
2010193855.tif 000006
【図５】
2010193855.tif 000007
【図６】
2010193855.tif 000008
【図７】
2010193855.tif 000009
【図８】
2010193855.tif 000010
【図９】
2010193855.tif 000011
【図１０】
2010193855.tif 000012
【図１１】
2010193855.tif 000013
【図１２】
2010193855.tif 000014
【図１３】
2010193855.tif 000015